(57)【要約】【課題】スラブコンクリート打設後に補強リブを溶断することなく取外すことができるフラットデッキを提供する。【解決手段】フラットデッキ１０は、平板部１２と、平板部１２に着脱可能に取付けられ、平板部１２の支持スパン方向に延びて平板部１２を補強する複数の補強リブ１４と、を有する。【選択図】図１
2019070292.tif 000002
【特許請求の範囲】
【請求項１】
平板部と、
前記平板部に着脱可能に取付けられ、前記平板部の支持スパン方向に延びて前記平板部を補強する複数の補強リブと、
を有する、フラットデッキ。
【請求項２】
前記平板部の支持スパン方向に延び、前記平板部の下面から下方へ突出する一対の突出部と、
前記補強リブの上端部に設けられ、一対の前記突出部によって狭持される突起と、
を有する、請求項１に記載のフラットデッキ。
【請求項３】
前記平板部を厚さ方向に貫通する貫通孔と、
前記補強リブの上端部に設けられ、前記平板部と平行に延び、厚さ方向に貫通する貫通孔が形成されたフラット部と、
前記平板部の前記貫通孔、及び前記フラット部の前記貫通孔に挿通されるボルトと、
を有する、請求項１に記載のフラットデッキ。
【発明の詳細な説明】
【技術分野】
【０００１】
本発明は、フラットデッキに関する。
【背景技術】
【０００２】
従来、スラブコンクリートを打設する際には、例えば特許文献１に示すように、フラット部（平板部）とフラット部（平板部）の下面に突設された補強リブとを有するフラットデッキプレートが捨て型枠として用いられている。
【先行技術文献】
【特許文献】
【０００３】
【特許文献１】特開平１０−７２９０４号公報
【発明の概要】
【発明が解決しようとする課題】
【０００４】
特許文献１に開示されているフラットデッキプレートでは、補強リブがフラット部（平板部）の下面に一体形成されている。このため、スラブコンクリート打設後にフラットデッキプレートの下部に配管等の設備を設置する場合、設備と干渉する部分の補強リブを溶断して取外す必要があり、補強リブの取外しが容易では無かった。
【０００５】
本発明は上記事実に鑑み、スラブコンクリート打設後に補強リブを溶断することなく取外すことができるフラットデッキを提供することを目的とする。
【課題を解決するための手段】
【０００６】
請求項１に記載のフラットデッキは、平板部と、前記平板部に着脱可能に取付けられ、前記平板部の支持スパン方向に延びて前記平板部を補強する複数の補強リブと、を有する。
【０００７】
上記構成によれば、平板部の支持スパン方向に延びて平板部を補強する複数の補強リブが、平板部に着脱可能に取付けられている。このため、補強リブを溶断することなく平板部から取外すことができる。
【０００８】
請求項２に記載のフラットデッキは、請求項１に記載のフラットデッキであって、前記平板部の支持スパン方向に延び、前記平板部の下面から下方へ突出する一対の突出部と、前記補強リブの上端部に設けられ、一対の前記突出部によって狭持される突起と、を有する。
【０００９】
上記構成によれば、平板部の支持スパン方向に延び、平板部の下面から下方へ突出する一対の突出部によって、補強リブの上端部に設けられた突起を狭持することで、補強リブを平板部に着脱可能に取付けることができる。
【００１０】
請求項３に記載のフラットデッキは、請求項１に記載のフラットデッキであって、前記平板部を厚さ方向に貫通する貫通孔と、前記補強リブの上端部に設けられ、前記平板部と平行に延び、厚さ方向に貫通する貫通孔が形成されたフラット部と、前記平板部の前記貫通孔、及び前記フラット部の前記貫通孔に挿通されるボルトと、を有する。
【００１１】
上記構成によれば、平板部に設けられた貫通孔と補強リブのフラット部に設けられた貫通孔とにボルトが挿通されている。このため、ボルト又は、ボルトに螺合されたナットを緩めることで、補強リブを溶断することなく平板部から取外すことができる。
【発明の効果】
【００１２】
本発明によれば、スラブコンクリート打設後に補強リブを溶断することなく取外すことができる。
【図面の簡単な説明】
【００１３】
【図１】第１実施形態におけるフラットデッキを示す斜視図である。
【図２】（Ａ）は第１実施形態におけるフラットデッキの平板部に補強リブを取付けた状態を示す部分拡大図であり、（Ｂ）は平板部に補強リブを取外した後の状態を示す分解図である。
【図３】第２実施形態におけるフラットデッキを示す部分拡大図である。
【図４】（Ａ）は第３実施形態におけるフラットデッキを示す部分拡大図であり、（Ｂ）はその変形例である。
【図５】（Ａ）〜（Ｃ）は変形例におけるフラットデッキを示す部分拡大図である。
【発明を実施するための形態】
【００１４】
＜第１実施形態＞
以下、本発明の第１実施形態におけるフラットデッキについて、図１及び図２を用いて説明する。なお、図中において、矢印Ｘはフラットデッキの幅方向、矢印Ｙはフラットデッキの長さ方向（支持スパン方向）を指す。
【００１５】
（構造）
本実施形態のフラットデッキ１０は、スラブコンクリートを打設する際に用いられる捨て型枠であり、図１に示すように、平坦な平板部１２を有している。なお、本実施形態では、複数の平板部１２が互いに幅方向に接合されることによってフラットデッキ１０が構成されている。
【００１６】
また、平板部１２の下面には、補強リブ１４が着脱可能に取付けられている。補強リブ１４は、平板部１２を補強するものであり、フラットデッキ１０の支持スパン方向、すなわち梁への架渡し方向に延びている。なお、補強リブ１４は、フラットデッキ１０上へのスラブコンクリート打設時に加わる荷重を支持できる程度の強度を有していればよい。
【００１７】
なお、図示しない複数の補強リブ１４が、フラットデッキ１０の幅方向に所定の間隔を空けて配置されている。また、フラットデッキ１０（平板部１２）の長さ方向の両端部は、補強リブ１４が延設されておらず、平板部１２が図示しない梁にそれぞれ支持されている。
【００１８】
図２（Ａ）に示すように、平板部１２には、支持スパン方向に延び、平板部１２の下面から下方へ突出する一対の突出部１６Ａ、１６Ｂが設けられている。具体的には、２枚の平板部１２の接合部分において、一方の平板部１２の端部に設けられた一方の突出部１６Ａと、他方の平板部１２の端部に設けられた他方の突出部１６Ｂとが互いに突合せられており、これにより、一対の突出部１６Ａ、１６Ｂ間に挟持部１８が形成されている。
【００１９】
一方、補強リブ１４は、例えば三角形状の閉断面を有するリブ本体１４Ａと、リブ本体１４Ａの上端部に設けられた突起１４Ｂとを備えている。突起１４Ｂは、リブ本体１４Ａの上端部から幅方向に突出しており、一対の突出部１６Ａ、１６Ｂによって形成された挟持部１８に突起１４Ｂが挟持されることにより、補強リブ１４が平板部１２に着脱可能に取付けられている。
【００２０】
なお、本実施形態では、１枚の鋼板を加工することによって、リブ本体１４Ａと突起１４Ｂとが一体形成された補強リブ１４が形成されているが、リブ本体１４Ａと突起１４Ｂとを溶接して組み立てることで補強リブ１４が形成されていてもよい。
【００２１】
（着脱方法）
フラットデッキ１０の平板部１２に補強リブ１４を取付ける場合、まず、一対の突出部１６Ａ、１６Ｂ間に形成された挟持部１８に、補強リブ１４の突起１４Ｂを下方から差込み、図２（Ａ）に示すように、一対の突出部１６Ａ、１６Ｂによって突起１４Ｂを挟込むことで、補強リブ１４を保持する。
【００２２】
なお、平板部１２を幅方向に接合してフラットデッキ１０を構成する際に、一対の突出部１６Ａ、１６Ｂの間に補強リブ１４の突起１４Ｂを予め挟込んでおく構成としてもよい。これにより、突出部１６Ａ、１６Ｂを変形させることなく突出部１６Ａ、１６Ｂ間に突起１４Ｂを挟込むことができる。
【００２３】
その後、下方から突出部１６Ａ、１６Ｂにビス１９を打込むことで、突出部１６Ａ、１６Ｂと補強リブ１４の突起１４Ｂとを固定する。なお、図１に示すように、突出部１６Ａ、１６Ｂには、長手方向に間隔をあけて複数のビス１９が打込まれる。このとき、突出部１６Ａのビス１９及び突出部１６Ｂのビス１９は、長手方向に互い違いとなる位置に打込むことが好ましい。
【００２４】
その後、図２（Ａ）に示すように、フラットデッキ１０の平板部１２の上部にスラブコンクリート３４を打設する。スラブコンクリート３４が硬化した後は、図２（Ｂ）に示すように、上記とは逆の手順によって平板部１２から補強リブ１４を取外すことができる。
【００２５】
具体的には、突出部１６Ａ、１６Ｂからビス１９を取外し、突出部１６Ａ、１６Ｂ間の隙間を広げることで、挟持部１８から補強リブ１４の突起１４Ｂを抜くことができる。なお、スラブコンクリート３４硬化後は、フラットデッキ１０及びスラブコンクリート３４で構成される合成スラブ自体が建物の床荷重を支持する。
【００２６】
なお、上記の手順は一例であり、手順が異なっていたり、他の工程が含まれていたりしても構わない。また、平板部１２を図示しない梁に架渡した後で平板部１２に補強リブ１４を取付けてもよく、平板部１２に補強リブ１４を取付けた後で平板部１２を図示しない梁に架渡してもよい。さらに、平板部１２に補強リブ１４を取付ける際、補強リブ１４の突起１４Ｂを挟持部１８に下方からではなく側方から長手方向に沿って差込んでもよい。
【００２７】
（作用及び効果）
本実施形態によれば、フラットデッキ１０の補強リブ１４が平板部１２に着脱可能に取付けられている。このため、補強リブ１４を溶断することなく平板部１２から取外すことができ、補強リブ１４を再利用することが可能となる。
【００２８】
特に本実施形態によれば、平板部１２の下面に一対の突出部１６Ａ、１６Ｂが設けられており、補強リブ１４の上端部に設けられた突起１４Ｂを突出部１６Ａ、１６Ｂ間の挟持部１８に狭持させている。このため、補強リブ１４を平板部１２に対して容易に取付ける又は取外すことができる。
【００２９】
また、一対の突出部１６Ａ、１６Ｂで突起１４Ｂを挟込む構成であるため、スラブコンクリート打設時にフラットデッキ１０が撓んだ場合であっても、平板部１２から補強リブ１４が外れなくなる虞を減らすことができる。
【００３０】
さらに、本実施形態によれば、突出部１６Ａ、１６Ｂと補強リブ１４の突起１４Ｂとが複数のビス１９によって固定されている。このため、補強リブ１４が平板部１２に対してずれ動くことを抑制することができる。また、スラブコンクリート打設時に平板部１２に生じる引張力を、ビス１９によって補強リブ１４に伝えることができる。
【００３１】
また、突出部１６Ａのビス１９と突出部１６Ｂのビス１９を長手方向に互い違いとなる位置に打込むことで、必要最低限の数のビス１９によって平板部１２と補強リブ１４とを効率よく固定することができる。
【００３２】
また、本実施形態では、補強リブ１４のリブ本体１４Ａが閉断面を有しているため、閉断面を有していない構成と比較して、リブ本体１４Ａの横座屈を抑制することができ、補強リブ１４によって平板部１２をより強固に補強することができる。
【００３３】
＜第２実施形態＞
次に、本発明の第２実施形態におけるフラットデッキについて、図３を用いて説明する。なお、第１実施形態と同様の構成については、図示及び説明を省略する。また、図中において、矢印Ｘはフラットデッキの幅方向、矢印Ｙはフラットデッキの長さ方向（支持スパン方向）を指す。
【００３４】
（構成）
図３に示すように、本実施形態のフラットデッキ２０は、第１実施形態と同様に、平板部２２と補強リブ２４とを有している。また、平板部２２には、厚さ方向に貫通する貫通孔２６が形成されている。
【００３５】
一方、補強リブ２４は、例えば三角形状の閉断面を有するリブ本体２４Ａと、リブ本体２４Ａの上端部に設けられたフラット部２４Ｂとを備えている。フラット部２４Ｂは、リブ本体２４Ａの上端部から幅方向かつ平板部２２と平行な方向に延びており、フラット部２４Ｂには厚さ方向に貫通する貫通孔２８が形成されている。
【００３６】
また、平板部２２の貫通孔２６及びフラット部２４Ｂの貫通孔２８には、ボルト３０が挿通されている。ボルト３０は、例えば六角ボルトであり、頭部が平板部２２の上部に位置するとともに、フラット部２４Ｂの下部においてナット３２が螺合されている。
【００３７】
（着脱方法）
フラットデッキ２０の平板部２２に補強リブ２４を取付ける場合、まず、平板部２２の上方から平板部２２の貫通孔２６及び補強リブ２４のフラット部２４Ｂの貫通孔２８にボルト３０を挿通する。そして、下方からボルト３０にナット３２を螺合することで、ボルト３０及びナット３２によって平板部２２と補強リブ２４のフラット部２４Ｂとを固定する。
【００３８】
その後、フラットデッキ２０の平板部２２の上部にスラブコンクリート３４を打設する。スラブコンクリート３４が硬化した後は、ボルト３０に螺合されたナット３２を緩めることにより、平板部２２から補強リブ２４を取外すことができる。
【００３９】
（作用及び効果）
本実施形態によれば、フラットデッキ２０の平板部２２に設けられた貫通孔２６と補強リブ２４のフラット部２４Ｂに設けられた貫通孔２８とにボルト３０を挿通することで、平板部２２に補強リブ２４が着脱可能に取付けられている。
【００４０】
このため、ボルト３０に螺合されたナット３２を緩めることにより、補強リブ２４を溶断することなく平板部２２から取外すことができる。また、第１実施形態と比較して、平板部２２の下面に突出部を設ける必要がないため、フラットデッキ２０の構成を簡略化することができる。
【００４１】
また、本実施形態によれば、平板部２２から補強リブ２４を取外した後に、頭部がスラブコンクリート３４に埋設されたボルト３０が平板部２２に残されている。このため、この残されているボルト３０を、例えば天井の吊ボルト等として転用することが可能となる。
【００４２】
＜第３実施形態＞
次に、本発明の第３実施形態におけるフラットデッキについて、図４（Ａ）及び図４（Ｂ）を用いて説明する。なお、第１、第２実施形態と同様の構成については、図示及び説明を省略する。また、図中において、矢印Ｘはフラットデッキの幅方向、矢印Ｙはフラットデッキの長さ方向（支持スパン方向）を指す。
【００４３】
（構成）
図４（Ａ）に示すように、本実施形態のフラットデッキ４０は、第１、第２実施形態と同様に、平板部４２と補強リブ４４とを有している。なお、本実施形態では、複数の平板部４２が互いに幅方向に接合されることによってフラットデッキ４０が構成されている。
【００４４】
また、平板部４２の下面には、支持スパン方向に延びるレール部材４６が設けられている。具体的には、２枚の平板部４２の接合部分において、一方の平板部４２の端部に設けられた一方のレール片４６Ａと、他方の平板部４２の端部に設けられた他方のレール片４６Ｂとが互いに突合せられることにより、レール部材４６が形成されている。
【００４５】
一方、補強リブ４４は、例えば三角形状の閉断面を有するリブ本体４４Ａと、リブ本体４４Ａの上端部に設けられたレール溝４４Ｂとを備えている。なお、補強リブ４４は、１枚の鋼板を加工することによって形成されており、ビス４８によって開き止めされている。
【００４６】
また、レール溝４４Ｂは、平板部４２に設けられたレール部材４６に対応した形状とされており、レール部材４６にレール溝４４Ｂが嵌合されることにより、補強リブ４４が平板部４２に固定されている。
【００４７】
（着脱方法）
フラットデッキ４０の平板部４２に補強リブ４４を取付ける場合、平板部４２に設けられたレール部材４６に、補強リブ４４に設けられたレール溝４４Ｂを長手方向から差込んで嵌合させる。なお、レール部材４６にレール溝４４Ｂを嵌合させた後、ビス４８によって補強リブ４４を開き止めすることで、レール部材４６とレール溝４４Ｂとを固定する。
【００４８】
その後、フラットデッキ４０の平板部４２の上部にスラブコンクリート３４を打設する。スラブコンクリート３４が硬化した後は、レール溝４４Ｂを長手方向にスライドさせてレール部材４６から取外すことにより、平板部４２から補強リブ４４を取外すことができる。
【００４９】
なお、上記の手順は一例であり、手順が異なっていたり、他の工程が含まれていたりしても構わない。例えば図４（Ｂ）に変形例として示すように、ビス４８を取付ける前、又はビス４８を取外した後に補強リブ４４を開くことで、補強リブ４４のレール溝４４Ｂを下方からレール部材４６に着脱させてもよい。
【００５０】
（作用及び効果）
本実施形態によれば、フラットデッキ４０の平板部４２に設けられたレール部材４６に補強リブ４４に設けられたレール溝４４Ｂを嵌合させることで、平板部４２と補強リブ４４とが着脱可能に取付けられている。このため、レール部材４６に対してレール溝４４Ｂを長手方向にスライドさせることで、補強リブ４４を平板部４２に対して容易に取付ける又は取外すことができる。
【００５１】
＜その他の実施形態＞
以上、本発明について第１〜第３実施形態を説明したが、本発明はかかる実施形態に限定されるものではなく、本発明の範囲内にて他の種々の実施形態が可能である。
【００５２】
例えば、第１実施形態において、一対の突出部１６Ａ、１６Ｂが互いに突合せられることにより形成された挟持部１８に、補強リブ１４の突起１４Ｂが挟持されていた。しかし、図５（Ａ）に示すように、一対の平板部５２の端部間に補強リブ５４の上端部に設けられた突起５４Ｂを差込み、平板部５２の端部と補強リブ５４の突起５４Ｂとをビス５６で固定することにより、平板部５２に補強リブ５４を着脱可能に取付けてもよい。
【００５３】
また、図５（Ｂ）に示すように、一対のＬ字型の補強リブ６４によって、平板部６２の下面に設けられた突出部６６を挟持し、補強リブ６４と突出部６６とをビス６８で固定することにより、平板部６２に補強リブ６４を着脱可能に取付けてもよい。
【００５４】
さらに、図５（Ｃ）に示すように、平板部７２の下面に設けられた突出部７６と平板部７２との間に形成された挟持部７８に、略Ｚ字型の補強リブ７４の上端部を差込み、突出部７６と補強リブ７４とをビス８０で固定することにより、平板部７２に補強リブ７４を着脱可能に取付けてもよい。
【００５５】
また、第１実施形態において、一対の平板部１２の接合部分に補強リブ１４が取付けられていたが、接合部分以外の部分に補強リブ１４が取付けられていてもよい。同様に、第２実施形態において、平板部２２の接合部分以外の部分に補強リブ２４が取付けられていたが、平板部２２の接合部分に補強リブ２４が取付けられていてもよい。
【００５６】
また、第１実施形態において、ビス１９によって突出部１６Ａ、１６Ｂと補強リブ１４の突起１４Ｂとが固定されていたが、固定部材はビスには限られず、ボルト及びナット等によって突出部１６Ａ、１６Ｂと補強リブ１４の突起１４Ｂとが固定されていてもよい。
【００５７】
また、第２実施形態において、ボルト３０の頭部が平板部２２の上部に位置し、ボルト３０の螺合されたナット３２がフラット部２４Ｂの下部に位置していた。しかし、ボルト３０の頭部がフラット部２４Ｂの下部に位置し、ボルト３０の螺合されたナット３２が平板部２２の上部に位置する構成としてもよい。この場合、フラットデッキ２０の下方からボルト３０を緩めて取外すことにより、平板部２２から補強リブ２４を取外すことができる。
【００５８】
さらに、ボルト３０及びナット３２の形状、構成も第３実施形態の形状、構成には限らず、例えば平板部２２の貫通孔２６及びフラット部２４Ｂの貫通孔２８に止めねじを挿通し、止めねじの両端にナットを螺合する構成としてもよい。
【符号の説明】
【００５９】
１０、２０、４０                   フラットデッキ
１２、２２、４２、５２、６２、７２ 平板部
１４、２４、４４、５４、６４、７４ 補強リブ
１４Ｂ、５４Ｂ                     突起
１６Ａ、１６Ｂ、６６、７６         突出部
１８                               挟持部
２４Ｂ                             フラット部
２６、２８                         貫通孔
３０                               ボルト
【図１】
2019070292.tif 000003
【図２】
2019070292.tif 000004
【図３】
2019070292.tif 000005
【図４】
2019070292.tif 000006
【図５】
2019070292.tif 000007